(57)【要約】【課題】地震や振動等が発生しても構成部材が落下し難く、安全性を確保した空間構造体を提供する。【解決手段】天井等から垂下させた複数本の吊り部材１２で連結杆１３を水平に吊下げ固定する空間構造体１であって、連結杆１３には、連結杆本体３１の上部に水平方向に連続して延びる連結杆凹溝３３と、凹溝底面３３ａに溝幅が開口部３４１より溝底部側の方が広い断面溝形状をもつ連結溝３４とが形成され、開口部３４１を挟んで連結溝３４の内部または外部に位置するナット部材４１ａ、２４１ａと、連結部本体４１ｂ、２４１ｂとをもつ吊り金具１４、２４を有し、ナット部材４１ａ、２４１ａおよび連結部本体４１ｂ、２４１ｂは、開口部３４１を挟んだ位置関係のまま連結溝３４に沿った移動と連結溝３４の任意の位置での固定が可能であり、連結部本体４１ｂ、２４１ｂは、吊り部材１２の吊り部材下端部１２ｂが連結される連結部を備える。【選択図】      図３
2017110386.tif 000002
【特許請求の範囲】
【請求項１】
水平方向に延びる複数の連結杆を連結して構成され、躯体あるいは天井から垂下させた複数本の吊り部材で水平に吊下げ固定される空間構造体であって、
前記連結杆には、前記水平方向に延びる連結杆本体の上部に前記水平方向に連続して延びる凹溝と、該凹溝の底面に形成され、溝幅が開口部より溝底部側の方が広い断面溝形状をもつ連結溝とが形成され、
前記連結溝の内部に位置するナット部材と、前記開口部を挟んで前記ナット部材に対向して前記連結溝の外部に位置する連結部本体とをもつ吊り金具を有し、
前記ナット部材および前記連結部本体は、前記開口部を挟んだ位置関係のまま一体となって前記連結溝に沿った移動と前記連結溝の任意の位置での固定が可能であり、
前記連結部本体は、躯体あるいは天井から垂下させた複数本の吊り部材の下端部が連結される連結部を備えることを特徴とする空間構造体。
【請求項２】
前記連結部本体は、前記連結溝の延在方向に沿った断面で見て、前記凹溝の断面高さの範囲内で、中央部が両端部よりも上方に突出した形状を有していることを特徴とする請求項１に記載の空間構造体。
【請求項３】
前記連結部本体は、凹溝内に配設される配線を前記水平方向に挿通可能な連通孔を形成したことを特徴とする請求項２に記載の空間構造体。
【請求項４】
前記連結部本体の前記連結部は、前記連結部本体に回転自在に取り付けた高ナットで構成することを特徴とする請求項１から請求項３に記載の空間構造体。
【発明の詳細な説明】
【技術分野】
【０００１】
本発明は、例えばオフィス、展示場、病院、学校等の広い室内空間に、多目的空間を区画形成することができる空間構造体に関し、特に室内空間の上方側に位置し、躯体あるいは天井から垂下させた複数本の吊り部材に連結されて水平に吊下げられる連結杆で構成される、いわゆる天吊りタイプの空間構造体に関する。
【背景技術】
【０００２】
従来の空間構造体としては、躯体あるいは天井から垂下させた吊り部材で連結杆を吊り下げ、連結杆の下方に位置する空間領域を多目的空間として区画形成することを可能にするいわゆる天吊りタイプの空間構造体が知られている。
【０００３】
このような天吊りタイプの空間構造体として、溝状の連結杆の両側上端に折り返し部を形成し、吊り部材と連結杆を連結する吊り金具に形成した鋭角な先端を折り返し部に嵌合することにより連結杆を吊下げたものが提案されている（例えば、特許文献１参照）。
【先行技術文献】
【特許文献】
【０００４】
【特許文献１】特開２００５−３２５６２０号公報
【発明の概要】
【発明が解決しようとする課題】
【０００５】
ところで、上記特許文献１に記載された連結部材では、地震や振動等により吊り金具の先端が折り返し部から外れ、連結杆などの構成部材が落下する恐れがあり、安全性を向上させることが望まれている。
【０００６】
そこで、本発明の課題は、地震や振動等が発生しても構成部材が落下し難く、安全性を確保した空間構造体を提供することである。
【課題を解決するための手段】
【０００７】
上記課題を解決するため、本発明の空間構造体は、水平方向に延びる複数の連結杆を連結して構成され、躯体あるいは天井から垂下させた複数本の吊り部材で水平に吊下げ固定される空間構造体であって、前記連結杆には、前記水平方向に延びる連結杆本体の上部に前記水平方向に連続して延びる凹溝と、該凹溝の底面に形成され、溝幅が開口部より溝底部側の方が広い断面溝形状をもつ連結溝とが形成され、前記連結溝の内部に位置するナット部材と、前記開口部を挟んで前記ナット部材に対向して前記連結溝の外部に位置する連結部本体とをもつ吊り金具を有し、前記ナット部材および前記連結部本体は、前記開口部を挟んだ位置関係のまま一体となって前記連結溝に沿った移動と前記連結溝の任意の位置での固定が可能であり、前記連結部本体は、躯体あるいは天井から垂下させた複数本の吊り部材の下端部が連結される連結部を備えることを特徴とする。
【０００８】
上記空間構造体によれば、連結溝内部および外部に位置するナット部材および連結部本体により開口部を挟んだ位置関係のまま一体となって連結溝の任意の位置での固定が可能であるため、地震や振動等により吊り金具が連結溝から外れ難くすることができる。すなわち、連結溝は、溝幅が開口部より溝底部側の方が広い断面溝形状をもち、この連結溝の内部にナット部材、外部に連結部本体を位置させるため、空間構造体の構成部材である連結杆が落下し難く、安全性を確保することができる。
【０００９】
また、本発明の空間構造体は、前記連結部本体は、前記連結溝の延在方向に沿った断面で見て、前記凹溝の断面高さの範囲内で、中央部が両端部よりも上方に突出した形状を有している。
【００１０】
上記空間構造体によれば、連結部本体が連結杆の凹溝の断面高さの範囲内で、中央部が両端部よりも上方に突出した形状を有しているため、連結杆から連結部本体がはみ出ることがなく、連結杆の下方に位置する空間領域の美観を向上することができる。
【００１１】
さらに、本発明の空間構造体は、連結部本体は、凹溝内に配設される配線を前記水平方向に挿通可能な連通孔を形成した。
【００１２】
上記空間構造体によれば、連結部本体に連通孔を形成したため、連結杆の凹溝内に配線を配設する場合に配線の取り回しが容易となる。すなわち、凹溝内に配線を配設する際に連結部本体を乗り越えて配線を配設する必要がなく、また、連通孔に配線を挿通することにより配線が外部に露出することを防止して美観を向上することができる。
【００１３】
また、本発明の空間構造体は、前記連結部本体の前記連結部は、前記連結部本体に回転自在に取り付けた高ナットで構成する。
【００１４】
上記空間構造体によれば、連結部本体に高ナットを回転自在に取り付けたため、躯体あるいは天井から連結杆までの距離を調整することができる。また、躯体あるいは天井から連結杆までの距離を調整することにより複数の連結杆同士を水平に保つことができる。
【発明の効果】
【００１５】
このように、本発明によれば、地震や振動等が発生しても構成部材が落下し難く、安全性を確保した空間構造体を提供することができる。
【図面の簡単な説明】
【００１６】
【図１】本実施形態に係る空間構造体を示す斜視図である。
【図２】（ａ）図１に示す連結杆の平面図、（ｂ）図１に示す連結杆の斜視図である。
【図３】（ａ）第１実施形態に係る吊り金具の正面図、（ｂ）第１実施形態に係る吊り金具の側面図、（ｃ）第１実施形態に係る吊り金具の斜視図である。
【図４】（ａ）図１に示す連結杆の連結溝に図３に示す吊り金具を位置させた状態の平面図、（ｂ）図１に示す連結杆の連結溝に図３に示す吊り金具を位置させた状態の斜視図である。
【図５】（ａ）第２実施形態に係る吊り金具の正面図、（ｂ）第２実施形態に係る吊り金具の側面図、（ｃ）第２実施形態に係る連結部本体に配線を挿通した状態を示す図である。
【発明を実施するための形態】
【００１７】
［１．第１実施形態］
以下、本発明の第１実施形態について図面を参照して説明する。はじめに、図１を参照して第１実施形態に係る空間構造体の概略構成について説明する。
【００１８】
なお、以下の第１実施形態に係る空間構造体の一例として、オフィスや展示場等の室内空間を、業務環境や業務形態等の変化に容易かつ柔軟に対応して仕切ったり区画したりすることができるとともに、空間内で使用する機器およびこの機器の配線を吊り部材で吊下げられた連結杆に収容することが可能な天吊りタイプの空間構造について説明する。
【００１９】
［１−１．空間構造体の構成］
図１に示すように、第１実施形態に係る空間構造体１は、躯体あるいは天井から垂下させた複数本の吊り部材１２と、水平方向に延びる複数の連結杆１３と、吊り部材１２と連結杆１３を連結する吊り金具１４（図３参照）と、連結杆１３同士を上面視Ｌ字状に連結した部分に取り付けられるコーナー部材１５を有している。
【００２０】
そして、上記のように構成された空間構造体１は、室内空間Ｓ１の上方側に位置し、躯体あるいは天井から垂下させた複数本の吊り金具１２に連結杆１３が吊り金具１４（図３参照）により連結されて水平に吊下げ固定される。そして、この吊下げられた連結杆１３には間仕切りパネル（図示省略）を取り付けることが可能であり、連結杆の配設によって室内空間Ｓ１内をさらに区画形成することが可能である。
【００２１】
［１−２．吊り部材の構成］
次に、図１に示す吊り部材１２の具体的な構成について説明する。
【００２２】
図１に示すように、吊り部材１２は、金属材料、例えば軽量かつ比較的高強度で美観性にも優れるアルミニウム合金材で形成されており、躯体側あるいは天井側に吊り部材上端部１２ａが取り付けられ、吊り部材下端部１２ｂに後述する吊り金具１４が連結される。
【００２３】
［１−３．連結杆の構成］
次に、図２を参照して、吊り部材１２で水平に吊下げ固定される連結杆１３の具体的な構成について説明する。
【００２４】
連結杆１３は、アルミニウム合金材で成型されており、図２（ａ）および図２（ｂ）に示すように、水平方向に延びた連結杆本体３１と、この連結杆本体３１の上部から立設した一対の連結杆立設板３２と、凹形状が形成された連結杆凹溝３３と、連結杆凹溝３３に形成された連結溝３４を有している。
【００２５】
連結杆本体３１は、水平方向に延びる略中空矩形形状を有し、連結杆本体３１の連結杆端面１３ａ、連結杆側面１３ｂには、図示を省略する連結部材を介して他の連結杆１３の連結杆端面１３ａが連結することにより、水平方向に延びる複数の連結杆１３をＬ字状やＴ字状に交差させて連結することができる（図１参照）。
【００２６】
一対の連結杆立設板３２は、図２（ｂ）に示すように、連結杆本体３１の上部にそれぞれ水平方向に連続して立設している。
【００２７】
連結杆凹溝３３は、図２（ａ）に示すように、凹溝底面３３ａと一対の連結杆立設板３２により、内部に配線を収容することが可能に上方に開口した形状を有している。そして、連結杆凹溝３３は、水平方向に延びる連結杆本体３１の上部に水平方向に連続して延びて形成されている。
【００２８】
なお、連結杆凹溝３３は、連結杆本体３１の下部にも形成されており、図示を省略する間仕切りパネルが連設可能である。連設される間仕切りパネルは、一端が連結杆１３に移動可能に取り付けられたパネルであってもよいし、一端が連結杆１３に固定されたパネルであってもよい。また、一部が固定または移動可能な間仕切りパネルであってもよく、連設される間仕切りパネルは業務環境や業務形態等に応じて適宜変更することが可能である。
【００２９】
連結溝３４は、図２（ａ）に示すように、凹溝底面３３ａに形成されており、上方に開口した開口部３４１と、後述するナット部材４１ａが当接可能なナット部材当接部３４２が形成されている。この連結溝３４は、連結溝３４の延在方向に直交する方向の断面において、溝幅が開口部３４１の幅Ａより溝底部３４ａの幅Ｂの方が広い断面溝形状を有している（後述する図４（ａ）参照）。
【００３０】
上記連結溝３４の内部には後述するナット部材４１ａが位置し、連結溝３４の外部には連結部本体４１ｂが位置し、ナット部材４１ａと連結部本体４１ｂは、開口部３４１を挟んで位置した状態で連結溝３４に沿った移動と連結溝３４の任意の位置で固定が可能に形成されている。すなわち連結溝３４の内部に位置するナット部材４１ａが連結溝３４内を移動可能に、連結溝３４の幅（溝底部３４ａの幅）Ｂがナット部材４１ａの幅よりも若干広く形成されている。
【００３１】
［１−４．吊り金具の構成］
次に、図３および図４を参照して、吊り部材１２と連結杆１３を連結する吊り金具１４の具体的な構成について説明する。
【００３２】
吊り金具１４は、鋼板で形成されたナット部材４１ａおよび連結部本体４１ｂを有し、連結部本体４１ｂは、鉄材で形成され吊り部材下端部１２ｂ（図１参照）と連結される連結部４２を有している。
【００３３】
ナット部材４１ａおよび連結部本体４１ｂは、図４（ａ）および図４（ｂ）に示すように、連結溝３４の開口部３４１を挟んで連結杆３４の内外に位置し、開口部３４１を挟んだ位置関係のまま一体となって連結溝３４に沿った移動と、連結溝３４の任意の位置で固定することが可能に形成されている。
【００３４】
ナット部材４１ａは、図４（ａ）に示すように、連結溝３４の内部（溝底部３４ａ側、図２（ａ）および図２（ｂ）参照）に位置し、図４（ａ）および図４（ｂ）に示すように、連結杆１３が吊り部材１２で吊下げ固定された際、開口部３４１からナット部材４１ａが抜け落ちることがないように、ナット部材４１ａの幅Ｃが開口部３４１の幅Ａより広く形成されている（図４（ａ）参照）。
【００３５】
連結部本体４１ｂは、連結溝３４の凹溝底面３３ａに位置し、図３（ａ）から図３（ｃ）に示すように、２つの平板部４１１ａと、平板部４１１ａより上方に突出した突出部４１１ｂが形成されている。
【００３６】
具体的に、連結部本体４１ｂは、連結溝３４の延在方向に沿った断面で見ると、図４（ａ）に示すように、連結杆凹溝３３の断面高さＨの範囲内で、連結部本体４１ｂの中央部に位置する突出部４１１ｂが両端部に位置する２つの平板部４１１ａよりも上方に突出した形状を有している。すなわち、平板部４１１ａから突出部４１１ｂが上方に突出する高さは、連結杆凹溝３４の断面高さＨの範囲内で適宜変更が可能である。
【００３７】
また、連結部本体４１ｂには、図３（ａ）および図３（ｂ）に示すように、躯体あるいは天井から垂下させた吊り部材１２の吊り部材下端部１２ｂ（図１参照）がネジ連結される連結部４２が形成されている。
【００３８】
連結部４２は、突出部４１１ｂの内部に位置する止めネジ４２１と、連結部本体４１ｂに回転自在に取り付けられる高ナット４２２で構成されており、高ナット４２２を回転することにより躯体あるいは天井から連結杆１３までの距離を調整することができる。
【００３９】
なお、ナット部材４１ａと連結部本体４１ｂは、連結部材本体４１ｂに形成されたネジ孔（図示省略）を挿通したネジ４３がナット部材４１ａに形成されたネジ山（図示省略）と螺着することでネジ固定が可能であり、ネジ４３のネジ軸４４がナット部材４１ａと連結部本体４１ｂとともに連結杆１３の連結溝３４（ナット部材当接部３４２間）を水平方向に移動することができる。
【００４０】
［１−５．吊り部材と連結杆の連結］
次に、図１から図４を参照して、吊り部材１２と連結杆１３を吊り金具１４により連結する場合について説明する。
【００４１】
はじめに、躯体側あるいは天井側に吊り部材上端部１２ａをネジ（図示省略）で固定し（固定材で固定してもよい）、吊り部材１２を躯体あるいは天井から垂下させる（図１参照）。
【００４２】
また、図４（ａ）および図４（ｂ）に示すように、ナット部材４１ａを連結溝３４の溝底部３４ａに位置させ、連結部本体４１ｂを連結溝３４の凹溝底面３３ａに位置させて吊り金具１４を連結杆端面１３ａ側から水平方向に移動する。具体的には、連結部材本体４１ｂに形成されたネジ孔（図示省略）を挿通したネジ４３がナット部材４１ａに形成されたネジ山（図示省略）に螺合しているものの完全に螺着していない状態（ネジが緩んでいる状態、ナット部材４１ａと連結部本体４１ｂが完全に固定されていない状態）で、連結杆端面１３ａから連結溝３４の内部にナット部材４１ａを、開口部３４１を挟んでナット部材４１ａに対向して連結溝２３の外部に連結部本体４１ｂを位置させて、ナット部材４１ａと連結部本体４１ｂが一体となった状態で移動する。
【００４３】
ナット部材４１ａと連結部本体４１ｂを、開口部３４１を挟んだ位置関係で一体となったまま連結溝３４に沿って任意の位置まで移動するとき、ネジ４３のネジ軸４４がナット部材４１ａと連結部本体４１ｂとともに連結杆１３の連結溝３４（ナット部材当接部３４２間）を移動する。
【００４４】
そして、任意の位置まで移動すると、ネジ４３をナット部材４１ａに形成されたネジ山（図示省略）に完全に螺着する（ネジを締めた状態にする、ナット部材４１ａと連結部本体４１ｂが完全に固定された状態にする）とともに、吊り部材１２の吊り部材下端部１２ｂに高ナット４２２を回転することにより吊り金具１４をネジ連結し、吊り部材１２に連結杆１３を吊り下げ固定する（図１参照）。
【００４５】
吊り部材１２に連結杆１３を吊り下げ固定されると、ナット部材４１ａがナット部材当接部３４２に当接する。上述したように、ナット部材４１ａの幅Ｃが開口部３４１の幅Ａより広く形成されているため、開口部３４１からナット部材４１ａが抜け落ちることなく、連結杆１３を保持することができる（図４（ａ）参照）。
【００４６】
なお、吊り部材１２に吊下げ固定された連結杆１３が水平に吊下げ固定されていない場合には、高ナット４２２を回転することにより、躯体あるいは天井から連結杆１３までの距離を調整して連結杆１３を水平にする。
【００４７】
また、止めネジ４２１と高ナット４２２を固定するため、スプリングピン（図示省略）を高ナット４２２から止めネジ４２１まで打ち込み後、かしめる。
【００４８】
そして、上述したように、連結杆１３の連結杆凹溝３３は、内部に配線を収容することが可能な形状を有しているため、図４（ａ）および図４（ｂ）に示すように、開口部３４１の幅Ａより広く、かつ、配線空間Ｓ２を形成可能な幅の連結部本体４１ａを用いることにより、室内空間Ｓ１（図１参照）で使用する機器の配線の取り回しが容易となり、機器や配線の配設の自由度を向上することができる。
【００４９】
［２．第２実施形態］
次に、図５（ａ）から図５（ｃ）を参照して、第２実施形態に係る吊り金具２４の構成について説明する。なお、第１実施形態では、吊り金具１４は、連結部本体４１ｂには、２つの平板部４１１ａと、平板部４１１ａより上方に突出した突出部４１１ｂが形成されている場合について説明したが、第２実施形態では、連結部本体２４１ｂには、さらに配線を挿通可能な連通孔２４２が形成されている場合について説明する。
【００５０】
なお、第２実施形態では、第１実施形態の吊り金具４１に改良を加えた吊り金具２４を用いた空間構造体１であり、吊り金具２４以外の構成については第１実施形態と同様である。そこで、以下では、第１実施形態に係る空間構造体と同等の構成等については説明を省略するものとし、第１実施形態に係る空間構造体１と同様の構成要素には同一の符号を付して説明する。
【００５１】
［２−１．吊り金具の構成］
次に、図５（ａ）および図５（ｂ）を参照して、吊り部材１２と連結杆１３を連結する吊り金具２４の具体的な構成について説明する。
【００５２】
吊り金具２４は、鋼板で形成されたナット部材２４１ａおよび連結部本体２４１ｂを有し、連結部本体２４１ｂは、鉄材で形成され吊り部材下端部１２ｂと連結される連結部４２を有している。
【００５３】
ナット部材２４１ａおよび連結部本体２４１ｂは、連結溝３４の開口部３４１を挟んで連結杆３４の内外に位置し（図４（ａ）および図４（ｂ）参照）、開口部３４１を挟んだ位置関係のまま一体となって連結溝３４に沿った移動と、連結溝３４の任意の位置で固定することが可能に形成されている。
【００５４】
ナット部材２４１ａは、連結溝３４の内部（溝底部３４ａ側）に位置し、連結杆１３が吊り部材１２で吊下げ固定された際、開口部３４１からナット部材２４１ａが抜け落ちることがないように、連結溝３４の延在方向に直交する方向の断面において、ナット部材２４１ａの幅Ｃが溝底部３４ａの幅Ｂよりも狭くなるように形成されている（図４（ａ）参照）。
【００５５】
連結部本体２４１ｂは、連結溝３４の凹溝底面３３ａに位置し、図５（ａ）に示すように、２つの平板部４１１ａと、平板部４１１ａより上方に突出した突出部４１１ｂが形成されている。
【００５６】
具体的に、連結部本体２４１ｂは、連結溝３４の延在方向に沿った断面で見ると、連結杆凹溝３３の断面高さＨ（図４（ａ）参照）の範囲内で、連結部本体２４１ｂの中央部に位置する突出部４１１ｂが両端部に位置する２つの平板部４１１ａよりも上方に突出した形状を有している。すなわち、平板部４１１ａから突出部４１１ｂが上方に突出する高さは、連結杆凹溝３４の断面高さＨの範囲内で適宜変更が可能である。
【００５７】
また、連結部本体２４１ｂには、図５（ｂ）および図５（ｃ）に示すように、連結杆凹溝３３内に配設される配線を水平方向に挿通可能な連通孔２４２が形成されている。すなわち、連結部本体２４１ｂの内部に配線Ｆを配設することが可能であるため、吊り部材１２に連結杆１３を吊り下げ固定した後であっても、機器の配置変更による配線Ｆの配置変更が可能になる。
【００５８】
上述したように、突出部４１１ｂが上方に突出する高さは、連結杆凹溝３４の断面高さＨの範囲内で適宜変更が可能であるため、突出部４１１ｂの突出する高さを連結杆凹溝３４の断面高さまで高くすることにより配線Ｆを多く配設可能にしたとしても、突出部４１１ｂや配線Ｆが外部に露出することを防止して美観を向上することができる。
【００５９】
なお、ナット部材２４１ａと連結部本体２４１ｂは、連結部材本体２４１ｂに形成されたネジ孔（図示省略）を挿通したネジ４３がナット部材２４１ａに形成されたネジ山（図示省略）と螺着することでネジ固定が可能であり、ネジ４３のネジ軸４４がナット部材２４１ａと連結部本体２４１ｂとともに連結杆１３の連結溝３４（ナット部材当接部３４２間）を水平方向に移動することができる（図３（ａ）から図３（ｃ）参照）。
【００６０】
また、後述するように、連結部本体２４１ｂの連結部４２は、連結部側固定部材Ｅにより吊り部材１２の吊り部材下端部１２ｂに連結される（図１参照）。
【００６１】
［２−２．吊り部材と連結杆の連結］
次に、図５（ａ）から図５（ｃ）を参照して、吊り部材１２と連結杆１３を吊り金具２４により連結する場合について説明する。
【００６２】
はじめに、躯体側あるいは天井側に吊り部材上端部１２ａを躯体側あるいは天井側固定材Ｄで固定し（ネジで固定してもよい）、吊り部材１２を躯体あるいは天井から垂下させる（図１および図５（ｂ）参照）。
【００６３】
また、ナット部材２４１ａを連結溝３４の溝底部３４ａに位置させ、連結部本体２４１ｂを連結溝３４の凹溝底面３３ａに位置させて吊り金具２４を連結杆端面１３ａ側から水平方向に移動する（図４（ａ）および図４（ｂ）参照）。具体的には、連結部材本体２４１ｂに形成されたネジ孔（図示省略）を挿通したネジ４３がナット部材２４１ａに形成されたネジ山（図示省略）に螺合しているものの完全に螺着していない状態（ネジが緩んでいる状態、ナット部材２４１ａと連結部本体２４１ｂが完全に固定されていない状態）で、連結杆端面１３ａから連結溝３４の内部にナット部材２４１ａを、開口部３４１を挟んでナット部材２４１ａに対向して連結溝２３の外部に連結部本体２４１ｂを位置させて、ナット部材２４１ａと連結部本体２４１ｂが一体となった状態で移動する。
【００６４】
ナット部材２４１ａと連結部本体２４１ｂを、開口部３４１を挟んだ位置関係で一体となったまま連結溝３４に沿って任意の位置まで移動するとき、ネジ４３のネジ軸４４がナット部材２４１ａと連結部本体２４１ｂとともに連結杆１３の連結溝３４（ナット部材当接部３４２間）を移動する。
【００６５】
そして、任意の位置まで移動すると、ネジ４３をナット部材２４１ａに形成されたネジ山（図示省略）に完全に螺着する（ネジを締めた状態にする、ナット部材２４１ａと連結部本体２４１ｂが完全に固定された状態にする）とともに、吊り部材１２の吊り部材下端部１２ｂに連結部本体２４１ｂをネジ座側固定部材Ｅで固定し、吊り部材１２に連結杆１３を吊り下げ固定する（図１参照）。
【００６６】
吊り部材１２に連結杆１３を吊り下げ固定されると、ナット部材２４１ａがナット部材当接部３４２に当接する。上述したように、ナット部材２４１ａの幅Ｃが開口部３４１の幅Ａより広く形成されているため、開口部３４１からナット部材２４１ａが抜け落ちることなく、連結杆１３を保持することができる（図４（ａ）および図４（ｂ）参照）。
【００６７】
そして、上述したように、連結部本体２４１ｂに連通孔２４２が形成されているため、図５（ｃ）に示すように、連結杆凹溝３３の内部に配設される配線Ｆを水平方向に挿通することができるため、室内空間Ｓ１（図１参照）で使用する機器の配線の取り回しが容易となり、機器や配線Ｆの配置の自由度を向上することができる。
【００６８】
［３．作用効果］
以上、上述したような空間構造体１は、水平方向に延びる複数の連結杆１３を連結して構成され、躯体あるいは天井から垂下させた複数本の吊り部材１２で水平に吊下げ固定される空間構造体１であって、連結杆１３には、水平方向に延びる連結杆本体３１の上部に水平方向に連続して延びる凹溝（連結杆凹溝３３）と、凹溝の底面（凹溝底面３３ａ）に形成され、溝幅が開口部３４１より溝底部側の方が広い断面溝形状をもつ連結溝３４とが形成され、連結溝３４の内部に位置するナット部材４１ａ、２４１ａと、開口部３４１を挟んでナット部材４１ａ、２４１ａに対向して連結溝３４の外部に位置する連結部本体４１ｂ、２４１ｂとをもつ吊り金具１４、２４を有し、ナット部材４１ａ、２４１ａおよび連結部本体４１ｂ、２４１ｂは、開口部３４１を挟んだ位置関係のまま一体となって連結溝３４に沿った移動と連結溝３４の任意の位置での固定が可能であり、連結部本体４１ｂ２４１ｂは、躯体あるいは天井から垂下させた複数本の吊り部材１２の下端部（吊り部材下端部１２ｂ）が連結される連結部を備える。
【００６９】
そして、上述した空間構造体１によれば、連結溝内部および外部に位置するナット部材４１ａ、２４１ａおよび連結部本体４１ｂ、２４１ｂにより開口部３４１を挟んだ位置関係のまま一体となって連結溝３４の任意の位置での固定が可能であるため、地震や振動等により吊り金具が連結溝から外れ難くすることができる。すなわち、連結溝３４は、図２（ａ）に示すように、連結溝３４の延在方向に直交する方向の断面において、溝幅が開口部３４１の幅Ａより溝底部３４ａの幅Ｂの方が広い断面溝形状を有し、この連結溝の内部にナット部材、外部に連結部本体を位置させるため、空間構造体の構成部材である連結杆が落下し難く、安全性を確保することができる。
【００７０】
また、ナット部材４１ａ、２４１ａおよび連結部本体４１ｂ、２４１ｂは、開口部３４１を挟んだ位置関係のまま一体となって連結溝３４に沿った移動が可能であるため、吊り部材下端部１２ｂと連結するための位置決めを容易にすることができる。すなわち、連結部材本体４１ｂ、２４１ｂに形成されたネジ孔（図示省略）を挿通したネジ４３がナット部材４１ａ、２４１ａに形成されたネジ山（図示省略）に螺合しているものの完全に螺着していない状態（ネジが緩んでいる状態、ナット部材４１ａと連結部本体４１ｂ、ナット部材２４１ａと連結部本体２４１ｂが完全に固定されていない状態）で移動することにより吊り部材下端部１２ｂと連結する位置を決める。
【００７１】
そして、ナット部材４１ａ、２４１ａおよび連結部本体４１ｂ、２４１ｂを移動することにより吊り部材下端部１２ｂと連結する位置が決定すると、ネジ４３をナット部材４１ａ、２４１ａに形成されたネジ山（図示省略）に完全に螺着する（ネジを締めた状態にする、ナット部材４１ａと連結部本体４１ｂ、ナット部材２４１ａと連結部本体２４１ｂが完全に固定された状態にする）ことにより、吊り部材下端部１２ｂと連結する位置決めを容易にすることができるため、空間構造体１の組み立て作業の効率化を図ることができる。
【００７２】
また、空間構造体１は、連結部本体４１ｂ、２４１ｂは、連結溝３４の延在方向に沿った断面で見て、凹溝（連結杆凹溝３３）の断面高さＨの範囲内で、中央部が両端部（平板部４１１ａ）よりも上方に突出した形状を有している。このため、連結杆１３から連結部本体４１ｂ、２４１ｂがはみ出ることがなく、連結杆１３の下方に位置する空間領域の美観を向上することができる。
【００７３】
さらに、空間構造体１は、連結部本体２４１ｂは、凹溝内（連結杆凹溝３３内）に配設される配線を水平方向に挿通可能な連通孔２４２を形成したため、連結杆３３に配線を配設する場合に配線の取り回しが容易となる。すなわち、凹溝内（連結杆凹溝３３内）に配線を配設する際に連結部本体２４１ｂを乗り越えて配線を配設する必要がなく、また、連通孔２４２に配線を挿通することにより配線が外部に露出することを防止して美観を向上することができる。
【００７４】
また、空間構造体１は、連結部本体２４ｂの連結部４２は、連結部本体４１ｂに回転自在に取り付けた高ナット４２２で構成するため、躯体あるいは天井から連結杆１３までの距離を調整することができる。また、躯体あるいは天井から連結杆１３までの距離を調整することにより複数の連結杆１３同士を水平に保つことができる。
【００７５】
［４．変形例］
以上、本発明の空間構造体１を図示の実施形態に基づいて説明したが、本発明はこれに限定されるものではなく、各部の構成は、同様の機能を有する任意の構成のものに置き換えることができる。
【００７６】
例えば、上述した実施形態では、上面視が四角形の板状のナット部材４１ａ、２４１ａを図示して説明したが、ナット部材４１ａ、２４１ａの幅Ｃが開口部３４１の幅Ａより広く形成（図４（ａ）参照）されていれば、上面視の形状が丸形、三角形、五角形、六角形等の多角形であってもよい。
【００７７】
また、上述した実施形態では、連結杆凹溝３３内に配設される配線を水平方向に挿通可能な連通孔２４２の形状が側面視すると四角形状である場合を図示して説明したが、配線の断面が丸形状であることから側面視の形状を丸形状にしてより配線を多く配設するように形成してもよい。
【００７８】
さらに、上述した第２実施形態では、ナット部材２４１ａと連結部本体２１ｂの幅が略同一である場合を図示して説明したが、連結部本体２４１ａの幅Ｇ（図５（ｃ）参照）をナット部材２４１ａの幅よりも広く形成してもよい。すなわち、連結部本体２４１ａの幅Ｇが連結杆凹溝３３を水平方向に移動可能な幅であれば適宜変更である。また、連結部本体２４１ａの幅Ｇを、連結杆凹溝３３を水平方向に移動可能な幅まで広げるとともに連通孔２４２を大きく形成することにより、より多くの配線を挿通することが可能となる。
【００７９】
なお、上述した実施形態の天吊りタイプの空間構造体１は、高等教育市場においては、プレゼンテーションスペース、セミナーブース、キャリアサポートエリア、ライブラリーエリア、ゼミルーム、デジタルサイネージ等、病院市場においては、スタッフステーション、ＩＣＵスタッフステーション等、オフィス市場においては、間仕切りパネルと連携した新空間、ルームインルーム等として利用することができる。
【００８０】
また、例えば、連結杆１３に、プロジェクタ、モニター、スピーカ、環境コントロールとしての照明等のＩＣＴ機器類や各種配線を取り付けて、室内空間Ｓ１内に、異質な雰囲気を醸し出すことができる独自の空間を形成することができる。
【符号の説明】
【００８１】
１        空間構造体
１２      吊り部材
１２ａ    吊り部材上端部
１２ｂ    吊り部材下端部
１３      連結杆
１３ａ    連結杆端面
１３ｂ    連結杆側面
１４      吊り金具（第１実施形態）
１５      コーナー部材
２４      吊り金具（第２実施形態）
３１      連結杆本体
３２      連結杆立設板
３３      連結杆凹溝
３３ａ    凹溝底面
３４      連結溝
３４ａ    溝底部
４１ａ    ナット部材（第１実施形態）
４１ｂ    連結部本体（第１実施形態）
４２      連結部
２４１ａ  ナット部材（第２実施形態）
２４１ｂ  連結部本体（第２実施形態）
３４１    開口部
３４２    ナット部材当接部
４１１ａ  平板部
４１１ｂ  突出部
４２１    止めネジ
４２２    高ナット
【図１】
2017110386.tif 000003
【図２】
2017110386.tif 000004
【図３】
2017110386.tif 000005
【図４】
2017110386.tif 000006
【図５】
2017110386.tif 000007